(57)【要約】【課題】電線の高圧引下線同士を碍子の下で結束する際に、間接活線工法を採択すること、しかも相対的に短時間での結束作業を可能とする。【解決手段】電線結束用クランプ１４を開閉自在なカバー片１５、１６から構成し、カバー片１５、１６が開いた状態で高圧引下線５Ａ、５Ｂを適宜配した後、カバー片１５、１６を閉じて高圧引下線５Ａ、５Ｂを結束させる。カバー片１５は、高圧引下線５Ｂを押し当て部３８側に押し当てて保持する保持部材２６を有すると共に、保持部材２６の押し当て部３８側と反対側に保持部材２６を引っ張る紐状部材２９が保持部材２６とカバー片１６とに連結されている。保持部材２６が高圧引下線５Ｂを押し当て部３８に押圧する力Ｐ１は常時供給されるのに対し、紐状部材２９が保持部材２６を反押し当て部３８側に引っ張る力Ｐ２はカバー片１５、１６が所定開度以上で開いた状態で供給される。これにより、カバー片１５、１６の開閉で高圧引下線５Ｂの保持と解除とを行うことが可能である。【選択図】  図４
2007202318.tif 000002
【特許請求の範囲】
【請求項１】
突き合わせ可能な一対のカバー片を連結部を介して開閉自在に連結し、前記一対のカバー片同士を突き合わせることで電線が導入される開口部と導入された電線が導き出される開口部とが形成され、
一方のカバー片には、電線の側面が押し当てられる押し当て部と、この押し当て部側に向けた力を供給することにより前記電線を保持する保持機構とが設けられていると共に、  前記保持機構に対し前記カバー片同士が開くに従い前記押し当て部から離れる方向に力を供給する解除機構を有することを特徴とする電線結束用クランプ。
【請求項２】
前記保持機構は、前記一方のカバー片から突出した軸部と、この軸部に回転可能に連結されていると共に前記電線と接する面に噛合部が形成された保持部材とを有して構成され、前記軸部に仕組まれた弾性部材により前記軸部から前記保持部材に対し前記押し当て部側に向けた力が供給されることを特徴とする請求項１に記載の電線結束用クランプ。
【請求項３】
前記解除機構は、前記保持機構と前記カバー片の他方とに取り付けられた紐状部材を有して構成され、この紐状部材は、前記一対のカバー片同士が所定開度以上で開いている場合には張った状態となり前記保持機構に対し前記押し当て部から離れる方向に引っ張ると共に少なくとも前記一対のカバー片同士が突き合わされて閉じている場合には緩んだ状態となり前記保持機構に対する前記押し当て部から離れる方向への引っ張りが解除されることを特徴とする請求項１又は請求項２に記載の電線結束用クランプ。
【請求項４】
前記一対のカバー片同士が突き合わされた際に接する部位に双方のカバー片同士を固着する固着機構が設けられていることを特徴とする請求項１、請求項２又は請求項３に記載の電線結束用クランプ。
【請求項５】
請求項１乃至請求項４に記載の電線結束用クランプを用いる電線の結束方法であって、
第１の間接活線工具で一方のカバー片を支持しつつ、第２の間接活線工具で前記一方のカバー片に対し押し当て部と保持機構との間のスペースに第１の電線を配した後、この第２の間接活線工具を移動して他方のカバー片を前記一方のカバー片に向けて動かして若干閉じるという第１のステップと、
前記第１の間接活線工具による前記一方のカバー片を支持した状態を維持しながら、前記第２の間接活線工具で前記一方のカバー片に対し前記押し当て部の保持機構とは反対側のスペースに第２の電線を配した後、この第２の間接活線工具を移動して前記他方のカバー片を前記一方のカバー片に向けて動かして双方のカバー片同士を突き合わせ完全に閉じるという第２のステップと、
前記第１又は第２のいずれかの間接活線工具で前記第１の電線を支持しつつ前記第１又は第２の間接活線工具のうちの他方で前記カバー片同士を閉じて形成された電線結束用クランプを碍子側に向けてずり上げるという第３のステップとから成ることを特徴とする電線の結束方法。
【発明の詳細な説明】
【技術分野】
【０００１】
この発明は、電柱等の柱状立設物の柱上で高圧引下線等の電線を結束するためのクランプの構造並びにこの電線結束用クランプを用いた電線の間接活線工法による結束方法に関する。
【背景技術】
【０００２】
電柱は、その径方向に延出した上側アームと、この上側アームに対し電柱の軸方向の下側にて当該電柱からその径方向に延出した下側アームとを有し、電柱間に架設された電線の本線から引き出された高圧引下線を、前記上側アームに設けられた碍子に巻き回して位置決めを行った後、当該高圧引下線を下側アーム側まで下ろして前記下側アームに設けられた碍子にも巻き回し、さらにカットアウトを通してトランスまで延ばし、しかる後に各家庭に引き込まれるようにする配線構造が既に公知となっている（例えば特許文献１を参照。）。
【０００３】
この場合、前記特許文献１の図１に示されるように、本線から分岐して上側アームまで下りてきた高圧引下線の部位と上側アームの碍子で巻き回された後の高圧引下線の部位とを結束している。この高圧引下線同士を結束するための構成について当該特許文献１の図１では必ずしも明瞭でないため本願の図９を用いて具体的に説明すると以下のようになる。すなわち、バインド１００を碍子１０１に例えば１回巻き回した後、２本の高圧引下線１０２、１０３の双方に碍子の中心点から例えば１０ｃｍ程離れた位置にて、例えば１０回巻き回することで、高圧引下線１０２と高圧引下線１０３とを結束する。
【０００４】
一方、引下線接続用分岐コネクターで且つ電線の本線用のものであるが、本体上部部材の溝部と本体下部部材の溝部とで本線を挟持するにあたり、針山状の本線横ずれ防止金具を本体上部部材の溝内に配して本線のずれを防止する手段も公知となっている（例えば特許文献２を参照。）。
【特許文献１】特開平９−５１６２７号公報
【特許文献２】特開２００５−２３５５９７号公報
【発明の開示】
【発明が解決しようとする課題】
【０００５】
しかしながら、上記した高圧引下線同士を結束するための手法では、直接に手作業で行う必要があるため、停電状態又は直接活線工法により作業を実施しなければならないので、作業近隣住居等への負担が大きくなるという不具合や、作業員の安全性に欠けるという不都合も有する。また、バインドを高圧引下線同士に対し複数回にわたって巻き回するので作業の長時間化を招き、バインドを取り外す際も作業が煩雑化するという課題も存する。
【０００６】
そこで、本発明は、間接活線工法の下、相対的に短時間で高圧引出線等の電線同士を結束することができ、かつ結束状態からの解放も簡易である電線結束用クランプ、及びこの電線結束用クランプを用いた電線の結束方法を提供することを目的とする。
【課題を解決するための手段】
【０００７】
この発明に係る電線結束用クランプは、突き合わせ可能な一対のカバー片を連結部を介して開閉自在に連結し、前記一対のカバー片同士を突き合わせることで電線が導入される開口部と導入された電線が導き出される開口部とが形成され、一方のカバー片には、電線の側面が押し当てられる押し当て部と、この押し当て部側に向けた力を供給することにより前記電線を保持する保持機構とが設けられていると共に、前記保持機構に対し前記カバー片同士が開くに従い前記押し当て部から離れる方向に力を供給する解除機構を有することを特徴としている（請求項１）。電線としては例えば高圧引下線が挙げられる。各カバー片には、間接活線工具（絶縁ヤットコ）で保持するための持ち手が形成されている。
【０００８】
これにより、第１の間接活線工具で一方のカバー片を支持しつつ、第２の間接活線工具で前記一方のカバー片に対し押し当て部と保持機構との間のスペースに第１の電線を配した後、この第２の間接活線工具を移動して他方のカバー片を前記一方のカバー片に向けて動かして若干閉じるという第１のステップと、前記第１の間接活線工具による前記一方のカバー片を支持した状態を維持しながら、前記第２の間接活線工具で前記一方のカバー片に対し前記押し当て部の保持機構とは反対側のスペースに第２の電線を配した後、この第２の間接活線工具を移動して前記他方のカバー片を前記一方のカバー片に向けて動かして双方のカバー片同士を突き合わせ完全に閉じるという第２のステップと、前記第１又は第２のいずれかの間接活線工具で前記第１の電線を支持しつつ前記第１又は第２の間接活線工具のうちの他方で前記カバー片同士を閉じて形成された電線結束用クランプを碍子側に向けてずり上げるという第３のステップとを経ることにより（請求項５）、碍子の近傍において２本の高圧引下線等の電線の結束作業を行うことができる。よって、間接活線工法を利用することができ、無停電での作業となるので、作業員の安全性を向上させることが可能であると共に、近隣住居等への負担を解消することが可能である。しかも、この電線結束用クランプによる電線の結束作業は、従来のバインドによる電線の結束作業の場合に比し相対的に簡易で所要時間の短縮化を図ることもでき、この電線結束用クランプの取り外しも簡易なので当該取り外しに要する時間の短縮化も図ることもできる。
【０００９】
前記保持機構は、前記一方のカバー片から突出した軸部と、この軸部に回転可能に連結されていると共に前記電線と接する面に噛合部が形成された保持部材とを有して構成され、前記軸部に仕組まれた弾性部材により前記軸部から前記保持部材に対し前記押し当て部側に向けた力が供給されることを特徴とする（請求項２）。弾性部材は例えばバネ等が挙げられる。これにより、一対のカバー片同士が突き合わされて閉じている場合には、軸部から保持部材に対し保持部材が押し当て部側に回転する力が供給されて、保持部材が当該保持部材と押し当て部との間に存する電線を押し当て部側に押し付けるので、当該電線が保持される。
【００１０】
前記解除機構は、前記保持機構と前記カバー片の他方とに取り付けられた紐状部材を有して構成され、前記一対のカバー片同士が所定開度以上で開いている場合には張った状態となり前記保持機構に対し前記押し当て部から離れる方向に引っ張ると共に少なくとも前記一対のカバー片同士が突き合わされて閉じている場合には緩んだ状態となり前記保持機構に対する前記押し当て部から離れる方向への引っ張りが解除されることを特徴とする（請求項３）。これにより、一対のカバー片同士を所定開度以上にて開くことで、紐状部材から保持機構に対し押し当て部とは反対側に引っ張る力が供給され、この力は保持機構に対し押し当て部側に向けた力よりも大きいものとすることで、電線の保持が解除される。これに対し、一対のカバー片同士を少なくとも突き合わせて閉じることで、紐状部材から保持機構に対して押し当て部とは反対側に引っ張る力の供給がなくなり、保持機構に対し押し当て部側に向けた力のみが働くので、保持機構による電線の保持が回復する。
【００１１】
一方、この発明に係る電線結束用クランプは、前記一対のカバー片同士が突き合わされた際に接する部位に双方のカバー片同士を固着する固着機構が設けられていることを特徴とする（請求項４）。これにより、誤操作や衝撃等によって不用意にカバー片が開いてしまい、電線の保持が不必要に解除される事態を回避することができる。
【発明の効果】
【００１２】
以上のように、この発明によれば、間接活線工具を用いて電線同士の結束作業を行うことができるので、間接活線工法を採用することが可能であり、これに伴い停電作業での近隣住居等への負担や直接活線工法での作業員に対する危険性を減少させることができる。
【００１３】
そして、一方の電線を保持する機構として請求項２に記載の保持部材を用い、且つこの保持部材による電線の保持を解除する手段として請求項３に記載の解除機構を用いることにより、一対のカバー片が所定開度以上で開いた場合では、解除機構の紐状部材が張った状態となって保持部材を押し当て部とは反対側に引っ張るので、電線を保持部材と押し当て部との間に簡易に介在させることができ、カバー片同士が閉じられた場合では、解除機構の紐状部材は緩まり、保持部材の押し当て部への力が働いて、保持部材が電線を押し当て部に押圧し、当該電線が保持される。
【００１４】
しかも、一対のカバー片同士が閉じられて電線結束用クランプによる電線の結束を完了した後においても、電線結束用クランプの碍子側へのずり上げを可能とすると同時に電線結束用クランプのずり下げを防止することができる。すなわち、この電線結束用クランプを電線の軸方向に沿ってずり上げようとする場合には、電線は相対的に下方に向けて動くこととなるため、保持部材を押し当て部とは反対側に揺動させ、これに伴い保持部材による電線の保持が一時的に解除されるので、電線結束用クランプを電線の軸方向に沿ってずり上げることが可能である。そして、電線結束用クランプを電線の軸方向に沿ってずり下げようとする場合には、電線は相対的に上方に向けて動こうとするが、これにより、保持部材を押し当て部側に揺動させ、保持部材による電線の保持のための力が増強されることとなるので、電線結束用クランプは電線の軸方向に沿ってずり下がることがない。
【発明を実施するための最良の形態】
【００１５】
以下、この発明の実施形態について図面により説明する。
【００１６】
図１において、この発明に係る電線結束用クランプを用いた電柱１の配電構造の概略が示されている。この電柱１は、その径方向に延出した上側アーム２と、この上側アーム２に対し電柱１の軸方向の下側にて当該電柱１からその径方向に延出した下側アーム３とを有している。
【００１７】
そして、電柱１間に架設された電線の本線（図示せず）から碍子４を介して分岐した高圧引下線５は、上側アーム２に設けられた碍子６に巻き回して位置決めを行った後、下側アーム３側まで下り、この下側アーム３に設けられた碍子７にも巻き回し、さらに高圧カットアウト８を通して変圧器９まで延びている。そして、変圧器９からは低圧引上線１０となり、更に引込線１１となって、各家庭に適宜引き込まれる構成となっている。尚、１２は高圧引下線引留金物である。また、下側アーム３は、高圧カットアウト支持アームとして機能する。
【００１８】
図２では、高圧引下線５のうち碍子４側から延びて碍子６で巻き回されるまでの部位５Ａと碍子６で巻き回された以後の部位５Ｂとを電線結束用クランプ１４を用いて結束する構造が示されている。
【００１９】
この電線結束用クランプ１４は、図３及び図４に示されるように、突き合わせ可能な一対のカバー片１５、１６を有して構成されている。これらカバー片１５、１６はこの実施形態では可撓性を有する連結部１７により連結されている。より詳述すると、連結部１７は、カバー片１５、１６のうち高圧引下線５Ａ、５Ｂの軸方向に沿って延びる側部同士を連結するものである。これによりカバー片１５とカバー片１６とは連結部１７を中心に後述する開口部２１、２３の径方向に沿って当該開口部２１、２３を分割するかたちで自在に開閉可能となっている。尚、連結部１７として蝶番を用いる等、カバー片１５、１６が適宜な開度（例えば１８０度）まで開くことが可能であれば連結部１７の構造自体は特に問わない。
【００２０】
また、カバー片１５、１６は、その内面側に高圧引下線５Ａ、５Ｂを収納する下記の収納部１９を画成するための収納部構成部位１８を有している。この収納部構成部位１８は、高圧引下線５Ａ、５Ｂの軸方向一方側に、当該高圧引下線５Ａ、５Ｂを収納部１９内に導入する下記の導入用開口部２１を構成するための開口部構成部位２０を有し、更に、収納部構成部位１８の高圧引下線５Ａ、５Ｂの軸方向他方側に、導入された高圧引下線５Ａ、５Ｂを収納部１９から導き出す下記の引出用開口部２３を構成するための開口部構成部位２２を有している。これにより、カバー片１５とカバー片１６とを突き合わせて完全に閉じた場合には、図５に示されるように、収納部１９と、この収納部１９に対し高圧引下線５の軸方向上側に開口する導入用開口部２１と、前記収納部１９に対し高圧引下線５の軸方向下側に開口する引出用開口部２３とを有する略筒状の電線結束用クランプ１４が画成される。
【００２１】
そして、カバー片１５、１６は、開口部構成部位２０、２１の側方縁辺よりも連結部１７側に張り出した張出部２４を有し、これにより、カバー片１５とカバー片１６とを閉じた際に張出部２４、２４が対面接合されて、後述する保持機構２５の保持部材２６を揺動可能に収納できる内部空間２７が図５に示されるように画成される。
【００２２】
保持機構２５は、保持部材２６と、この保持部材２６が装着される軸部２８とを有して構成されている。このうち、保持部材２６は高圧引下線５Ｂを後述する押し当て部３８側に押し当てることにより高圧引下線５Ｂを保持するためのもので、軸部２８に外挿可能な貫通孔３１、後述する紐状部材２９の一方端が装着可能な装着孔３２を有し、高圧引下線５Ｂと接する面には鋸の歯状に並んだ複数の凸部から成る噛合部３３が形成されている。軸部２８はカバー片１５の張出部２４の内側面から当該カバー片１５と一体的に突出形成されているもので、保持部材２６に対し押し当て部３８側にこの軸部２８を中心に揺動する力を供給するバネ等の弾性部材（図示せず）が仕組まれている。
【００２３】
高圧引下線５Ｂの保持を解除するための解除機構は、保持部材２６とカバー片１６とを連携させるべく、一方端が保持部材２６に固定され、他方端がカバー片１６の張出部２４の面に固定される紐状部材２９を有して構成されている。この紐状部材２９は、この実施形態では、一方端側に保持部材２６の装着孔３２に差し込んで当該保持部材２６に連結するための差込み部３４が形成され、他方端側にカバー片１６の張出部２４に形成された装着孔３５に差し込んで当該カバー片１６に連結するための差込み部３６が形成されている。もっとも、紐状部材２９の端部を保持部材２６の面及びカバー片１６の張出部２４の内側面に固着して連結させるようにしても良い。紐状部材２９の長手方向寸法は、カバー片１５とカバー片１６とが最大開度（例えば１８０度）で開いた状態で最も張った状態となる長さを有している。カバー片１５、１６の張出部２４のうち側方に設けられた壁部２４Ａ、２４Ａには紐状部材２９が最も張った状態で通る切欠き３０が形成されている。
【００２４】
押し当て部２８は、収納部１９内において高圧引下線５Ａの収納スペースと高圧引下線５Ｂの収納スペースとを区分けすると共に高圧引下線５Ｂの側面が保持部材２６により押し当てられて高圧引下線５Ｂを保持するためのものである。そして、押し当て部２８の高圧引下線５Ｂ側の面は、断面が略円形状の高圧引下線５Ｂが適宜接することができるように内側に窪んだ曲面となっている。
【００２５】
カバー片１５、１６の連結部１７側と反対側には下記する絶縁ヤットコ４５、４６で持つための持ち手４０、４１が形成されている。そして、持ち手４０には、持ち手４１と固着する固着機構として係合突起４２が形成されており、持ち手４１には、同じく固着機構として係合突起４２が挿通係合される貫通孔４３が形成されている。係合突起４２は、その軸方向に沿って複数に分割されていると共に各分割部位間は開いている。これにより、係合突起４２は、その頭部が貫通孔４３を通る際に中心に向って縮小し、頭部が貫通孔４３を抜けた後は元の状態に戻るので、係合突起４２は貫通孔４３に確実に係合される。
【００２６】
しかるに、上記保持機構２５、解除機構たる紐状部材２９、及び押し当て部２８の構成により、保持部材２６に対する押し当て部３８側に向けた力Ｐ１は常時供給されており、高圧引下線５Ｂは電線結束用クランプ１４に収納した際には原則として保持部材２６により押し当て部３８の側面に押し当てられる。しかも、保持部材２６の高圧引下線５Ｂに当接する部位には噛合部３３が形成されているので、高圧引下線５Ｂの軸方向へのずれも防止することができる。一方、カバー片１５とカバー片１６とが開くに従い紐状部材２９が暫時張った状態となるので、保持部材２６に対し押し当て部３８側とは反対側に向けた力Ｐ２も暫時増大して供給されることとなる。この力Ｐ２の最大値は力Ｐ１よりも大きくなるように設定されている。このため、一対のカバー片１５、１６が所定開度以上で開いた場合では、紐状部材２９が張った状態となって力Ｐ２が力Ｐ１よりも大きな値で供給され、保持部材２６を押し当て部３８とは反対側に引っ張るので、高圧引下線５Ｂを保持部材２６と押し当て部３８との間に簡易に介在させることができ、カバー片１５、１６同士が突き合わされて完全に閉じた場合では、紐状部材２９は緩まり力Ｐ２は供給されなくなるので、保持部材２６の押し当て部３８への力Ｐ１が有効に働いて、保持部材２６が高圧引下線５Ｂを押し当て部３８に押圧し、当該高圧引下線５Ｂが保持部材２６と押し当て部３８間に保持される。すなわち、カバー片１６をカバー片１５に対し突き合わされる方向と離れる方向とに動かす開閉動作を行うのみで、紐状部材２９から保持部材２６に供給される力Ｐ２の供給が調整されて、高圧引下線５Ｂに対する保持の解除と保持の復活とが行われる。
【００２７】
また、電線結束用クランプ１４内に高圧引下線５Ａ、５Ｂが収納された後においても、図５（ｂ）のように電線結束用クランプ１４を高圧引下線５Ａ、５Ｂの軸方向の上側にずり上げようとする場合には、高圧引下線５Ａ、５Ｂは保持部材２６に対し下方に移動することとなるので、保持部材２６に対し、軸部２８を中心点として矢印方向に揺動させる力Ｐ３が高圧引下線５Ｂから供給され、この力Ｐ３が軸部２８から保持部材２６に供給される力Ｐ１よりも大きいものとすることで、保持部材２６は高圧引下線５Ｂから離れて保持部材２６による保持が一時的に解除される。これにより、電線結束用クランプ１４を高圧引下線５Ａ、５Ｂの軸方向の上側にずり上げることが可能である。
【００２８】
反対に、図５（ｃ）のように、電線結束用クランプ１４を誤作業で高圧引下線５Ａ、５Ｂの軸方向の下側にずり下げようとする場合若しくは電線結束用クランプ１４の自重でずり落ちようという状況下には、高圧引下線５Ａ、５Ｂは保持部材２６に対し上方に移動しようとすることとなるので、保持部材２６に対し軸部２８を中心点として矢印方向に揺動させる力Ｐ４が高圧引下線５Ｂから供給され、この力Ｐ３が軸部２８から保持部材２６に供給される力Ｐ１に合わさることから、保持部材２６は高圧引下線５Ｂをより強い力で保持することとなる。これにより、電線結束用クランプ１４を高圧引下線５Ａ、５Ｂの軸方向の下側にずり下げる誤作業を防止し、且つその自重でずり落ちるのを防止することが可能である。
【００２９】
次に、このような電線結束用クランプ１４を用いた高圧引下線５Ａ、５Ｂの結束方法の一例について説明する。
【００３０】
まず、図６に示されるように、第１の絶縁ヤットコ４５でカバー片１５に対し持ち手４０を持って支持しつつ、第２の絶縁ヤットコ４６でカバー片１５に対し押し当て部３８と解除状態の保持部材２６との間の収納部構成部位に高圧引下線５Ｂを配した後、この第２の絶縁ヤットコ４６を移動してカバー片１６の持ち手４１を持ちカバー片１５側に向けて若干閉じる。これにより、紐状部材２９の張り率が弱まり、紐状部材２９から保持部材２６に供給される押し当て部３８側とは反対側への力Ｐ２が無くなるか小さくなるので、保持部材２６は軸部２８から供給される力Ｐ１により揺動して高圧引下線５Ｂを保持することとなる。
【００３１】
次に、図７に示されるように、第１の絶縁ヤットコ４５によるカバー片１５を支持した状態を維持しながら、第２の絶縁ヤットコ４６でカバー片１５に対し押し当て部３８の保持部材機構とは反対側の収納部構成部位に高圧引下線５Ａを配した後、この第２の絶縁ヤットコ４６を移動してカバー片１６の持ち手４１を持ちカバー片１５に向けて動かして、カバー片１５の持ち手４０に形成された係合突起４２に、カバー片１６の持ち手４１に形成された貫通孔４３を外挿し双方のカバー片１５、１６同士を突き合わせて完全に閉じる。
【００３２】
最後に、第２の絶縁ヤットコ４６で高圧引下線５Ｂを支持しつつ第１の絶縁ヤットコ４５でカバー片１５、１６同士を閉じて形成された電線結束用クランプ１４を碍子６側に向けてずり上げることで終了する。
【００３３】
以上によれば、高圧引下線５Ａと高圧引下線５Ｂとの結束作業の全てを間接活線工具たる絶縁ヤットコ４５、４６を用いて行うことができるので、間接活線工法を利用することができる。これにより、無停電での作業となるので、作業員の安全性を向上させることが可能であると共に、近隣住居等への負担を解消することが可能である。しかも、この電線結束用クランプ１４を利用した高圧引下線５Ａと高圧引下線５Ｂとの結束作業は、従来のバインドによる結束作業の場合に比し相対的に簡易で所要時間の短縮化を図ることもでき、この電線結束用クランプ１４の取り外しも上記過程と逆の過程を経るため簡易なので当該取り外しに要する時間の短縮化も図ることもできる。
【図面の簡単な説明】
【００３４】
【図１】図１は、この発明に係る電線結束用クランプが用いられた装柱構造を示す概略説明図である。
【図２】図２は、同上の電線結束用クランプを用いて碍子の下方に２本の高圧引下線を結束した状態を示す概略説明図である。
【図３】図３は、同上の電線結束用クランプを構成する一対のカバー片等の部品を個別的に示す斜視図である。
【図４】図４は、同上の電線結束用クランプで、カバー片に保持部材等が組み付けられ、且つカバー片同士が最大限に開いた状態を示す説明図である。
【図５】図５（ａ）は、同上の電線結束用クランプで高圧引下線を結束した状態を示す概略説明図で、図５（ｂ）は、高圧引下線を電線結束用クランプ結束した後でも保持部材が保持を解除する方向に揺動して同上の電線結束用クランプをずり上げることができることを示す説明図で、図５（ｃ）は、同上の電線結束用クランプをずり下げることは、保持部材が高圧引下線をより強固に保持する方向に揺動するためできないことを示す説明図である。
【図６】図６は、絶縁ヤットコで、高圧引下線の一方を電線結束用クランプの一方のカバー片に配した後、この一方のカバー片に向けて他方のカバー片を若干閉じるステップを示す説明図である。
【図７】図７は、絶縁ヤットコで、高圧引下線の他方を電線結束用クランプの一方のカバー片に配した後、この一方のカバー片に対し他方のカバー片を完全に閉じるステップを示す説明図である。
【図８】図８は、絶縁ヤットコで、一対のカバー片を閉じて構成された電線結束用クランプを碍子側にずり上げるステップを示す説明図である。
【図９】図９は、バインドで巻き回することで、２つの高圧引下線同士を結束する構成を示す従来例図である。
【符号の説明】
【００３５】
１  電柱
２  上側アーム
３  下側アーム
４  碍子
５  高圧引下線（電線）
６  碍子
７  碍子
１４  電線結束用クランプ
１５  カバー片
１６  カバー片
１７  連結部
１８  収納部構成部位
１９  収納部
２０  開口部構成部位
２１  導入用開口部
２２  開口部構成部位
２３  引出用開口部
２４  張出部
２５  保持機構
２６  保持部材
２７  内部空間
２８  軸部
２９  紐状部材
３０  切欠き
３１  貫通孔
３２  装着孔
３３  噛合部
３４  差込み部
３５  装着孔
３６  差込み部
３８  押し当て部
４０  持ち手
４１  持ち手
４２  係合突起（固着機構）
４３  貫通孔（固着機構）
４５  第１の絶縁ヤットコ（間接活線工具）
４６  第２の絶縁ヤットコ（間接活線工具）
【図１】
2007202318.tif 000003
【図２】
2007202318.tif 000004
【図３】
2007202318.tif 000005
【図４】
2007202318.tif 000006
【図５】
2007202318.tif 000007
【図６】
2007202318.tif 000008
【図７】
2007202318.tif 000009
【図８】
2007202318.tif 000010
【図９】
2007202318.tif 000011